(57)【要約】本発明は、連続的に運送されるウエブ（４）へ流動可能な媒体（５）を塗布する装置に関し、流動可能な媒体（５）が、連続的に回転する転送ローラ例えば周囲に印刻溝（１２）を備えた印刻ローラ（１１）により、ウエブ（４）へ転送可能であり、流動可能な媒体（５）を印刻ローラ（１１）の周囲へ転送するために、塗布ヘッド（１０）が設けられ、塗布ヘッド（１０）が、印刻ローラ（１１）の周囲の方へ開きかつ塗布すべき媒体（５）用の入口（１４）及び出口（１５）を有する室（１３）を持ち、これらの室（１３）が、その回転方向において前の外側で前部かき取り器（１６）により区画され、またその回転方向において後の外側で後部かき取り器（１８）により区画され、これら両方のかき取り器が印刻ローラ（１１）の周囲に密接している。本発明は、前部かき取り器（１６）が、押付け体（２４）により調節可能な押付け力で印刻ローラ（１１）の周囲へ押付け可能であることを特徴としている。
2013545603.tif 000002
【特許請求の範囲】
【請求項１】
連続的に運送されるウエブ（４）へ流動可能な媒体（５）を塗布する装置であって、
流動可能な媒体（５）が、連続的に回転する転送ローラ例えば周囲に印刻溝（１２）を備えた印刻ローラ（１１）により、ウエブ（４）へ転送可能であり、
流動可能な媒体（５）を印刻ローラ（１１）の周囲へ転送するために、塗布ヘッド（１０）が設けられ、
塗布ヘッド（１０）が、印刻ローラ（１１）の周囲の方へ開きかつ塗布すべき媒体（５）用の入口（１４）及び出口（１５）を有する室（１３）を持ち、
これらの室（１３）が、その回転方向において前の外側で前部かき取り器（１６）により区画され、またその回転方向において後の外側で後部かき取り器（１８）により区画され、これら両方のかき取り器が印刻ローラ（１１）の周囲に密接している
ものにおいて、
前部かき取り器（１６）が、押付け体（２４）により調節可能な押付け力で印刻ローラ（１１）の周囲へ押付け可能である
ことを特徴とする、装置。
【請求項２】
押付け体（２４）が気球（２２）により押付け片（２３）を介して押付け可能であることを特徴とする、請求項１に記載の装置。
【請求項３】
気球（２２）が圧縮空気導管（２１）により膨らませ可能であり、それにより押付け片（２３）へ向かって移動可能であることを特徴とする、請求項２に記載の装置。
【発明の詳細な説明】
【技術分野】
【０００１】  本発明は、請求項１の上位概念に記載の装置に関する。
【背景技術】
【０００２】  欧州特許第１１１７４８８号明細書からこのような装置が公知であり、塗布ヘッドに２つの室を持ち、これらの室に異なる圧力を加えることができる。前室には圧力ｐ０が存在し、主室には圧力ｐ１が設定可能であり、しかも前室と主室との間に密封素子があって、両方の室を分離することによって、前記の圧力が設定可能である。各室は、付属の印刻ローラへ押付けられるかき取り器より外部に対して密封される。更に主室も前室も、ウエブへ塗布される流動可能な媒体用の入口を備えている。
【発明の概要】
【発明が解決しようとする課題】
【０００３】  本発明の課題は、一層簡単かつ安価に製造可能であるように、公知の装置を更に開発することである。
【課題を解決するための手段】
【０００４】  この課題を解決するため、請求項１の特徴を持つ装置が役立つ。【０００５】  本発明の有利な構成が従属請求項の対象である。【０００６】  図面により本発明が以下に説明される。図において同じ部分は同じ符号を付けられている。
【図面の簡単な説明】
【０００７】
【図１】  本発明による装置の概略図を示す。
【図２】  ａないしｃは、図１による装置において使用される押付け片の異なる押付け度を示す。
【発明を実施するための形態】
【０００８】  図１は、周囲に印刻溝１２を備えかつ作動の際時計回りに矢印の方向に回転する印刻ローラ１１の断面を示す。印刻ローラ１１を越えて、被覆すべきウエブ４が走行し、ウエブ４の下側へ、塗布ヘッド１０により供給される流動可能な媒体５を、印刻溝１２が転送される。
【０００９】  図示した実施例では、塗布ヘッド１０は印刻ローラ１１の下従ってウエブ４に対向して設けられている。この塗布ヘッドは、梁のように印刻ローラ１１の直線母線に対して平行にその全長にわたって延びて、ウエブ４を被覆すべき流動可能な媒体５をすべての印刻溝１２に与える。
【００１０】  塗布ヘッド１０は梁状本体２５を持ち、この本体の左側に、後述する流動可能な媒体５用の収容槽２７が取付けられている。塗布ヘッド１０の下側は、回転方向において左側に室１３用入口１４を持ち、回転方向において塗布ヘッド１０の右側で塗布ヘッドの下側に、室１３を通って流れる流動可能な媒体５用の出口１５が設けられている。入口１４と出口１５との間で、塗布ヘッド１０の中へ上方へ印刻ローラ１１の方へ圧縮空気導管２１が延び、移動可能な押付け片２３上にある気球２２で終わっている。押付け片２３は圧縮可能な押付け体２４に作用している。押付け体２４は弾性材料から成り、気球２２の膨らませによりこの弾性材料が所定のように圧縮され、それが図２ａ〜２ｃに示されている。
【００１１】  気球２２を持つ圧縮空気導管２１の代わりに、押付け片２３に作用する別の構造、例えば突き頭部を持つ突き棒等を選ぶこともできる。
【００１２】  押付け体２４の上に、室１３内に取付けられる前部かき取り器保持体１７により保持される第１又は前部かき取り器１６がある。このような構造は当業者に一般に公知であるので、ここではそれ以上立入る必要がない。作動の際前部かき取り器１６が室１３に接触して、この室を前側で所定のように閉鎖する。
【００１３】  同じように室１３の後側も、同様に後部かき取り器保持体１９により保持される第２又は後部かき取り器１８によって閉鎖される。印刻ローラ１１への後部かき取り器１８の押付け力は、図面に示すように、高さを調節可能な後部かき取り器保持体１９に結合される剛性支持体２８によって形成される。
【００１４】  今まで述べられていないが、塗布ヘッド１０の右側に取外し可能に設けられている窓２０は、もはや印刻溝１２により収容されずに、室１３から出る流動可能な媒体５の自由な流出を観察できるようにするために設けられている。
【００１５】  最後に指摘することは、塗布ヘッド１０の幅に応じて、一様な圧力分布を得るために、１〜５個の入口１４を設けることができるが、出口１５として１つの出口で十分である。
【００１６】  さて図２のａ〜ｃは、本発明の本質、即ち個々の室１３内の圧力の簡単な調節可能性、従って被覆のために意図される流動可能な媒体５による印刻溝１２の小気泡なし充填を示す。
【００１７】  図２のａでは、押付け体２４は押付け片２３により圧縮されないので、前部かき取り器１６に押付け体２４上のみにあり、印刻ローラ１１の線状にのみ接触し、これが破線Ａにより示されている。これは、室１３内の圧力ｐ０に相当するいわば零又は初期位置である。
【００１８】  しかし押付け体２４が押付け片２３により圧縮されると、それが前部かき取り器１６を一層強く印刻ローラ１１へ押付け、図２のａの線状接触Ａから図２のｂによる面接触になり、破線Ｂが綿接触区域の幅を示す。この条件で流動可能な媒体５を室１３から出させるため、室１３内の圧力をｐ０からｐ１へ高めねばならない。
【００１９】  押付け片２３のもっと強い押付けの際、押付け体２４は更に高く圧縮され、面接触区域の幅が、図２のｂのＢから更に図２のｃのＣへ更に増大し、それは、出口１５からの流出が行われる前に、室１３内の圧力がｐ２へ高められねばならないことを意味する。
【００２０】  室１３内の圧力により、面接触区域Ｂ又はＣの幅に応じて、流動可能な媒体５の一層多いか又は少ない量が、後部かき取り器１８の所で室１３から流出せねばならないようになる。なぜならば、後部かき取り器１８は、印刻ローラ１１と線接触しているにすぎないからである。室１３から回転方向において後から出るこの量は、印刻溝１２へ分布し、残りは収容槽２７へ流れる。
【符号の説明】
【００２１】  ４          ウエブ
５          流動可能な媒体
１０        塗布ヘッド
１１        印刻ローラ
１２        印刻溝
１３        室
１４        入口
１５        出口
１６        前部かき取り器
１７        前部かき取り器保持体
１８        後部かき取り器
１９        後部かき取り器保持体
２０        窓
２１        圧縮空気導管
２２        気球
２３        押付け片
２４        押付け体
２５        本体
２７        収容槽
２８        支持体
【図１】
2013545603.tif 000003
【図２ａ】
2013545603.tif 000004
【図２ｂ】
2013545603.tif 000005
【図２ｃ】
2013545603.tif 000006
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
連続的に運送されるウエブ（４）へ流動可能な媒体（５）を塗布する装置であって、
流動可能な媒体（５）が、連続的に回転する転送ローラ例えば周囲に印刻溝（１２）を備えた印刻ローラ（１１）により、ウエブ（４）へ転送可能であり、
流動可能な媒体（５）を印刻ローラ（１１）の周囲へ転送するために、塗布ヘッド（１０）が設けられ、
塗布ヘッド（１０）が、印刻ローラ（１１）の周囲の方へ開きかつ塗布すべき媒体（５）用の入口（１４）及び出口（１５）を有する室（１３）を持ち、
これらの室（１３）が、その回転方向において前の外側で前部かき取り器（１６）により区画され、またその回転方向において後の外側で後部かき取り器（１８）により区画され、これら両方のかき取り器が印刻ローラ（１１）の周囲に密接しており、
前部かき取り器（１６）が、押付け体（２４）により調節可能な押付け力で印刻ローラ（１１）の周囲へ押付け可能であるものにおいて、
押付け体（２４）が、印刻ローラ（１１）の所における前部かき取り器（１６）の面接触区域の幅を決定する
ことを特徴とする、装置。
【請求項２】
前部かき取り器（１６）が、面接触区域で印刻ローラ（１１）に面で接触していることによって、押付け体（２４）が、室（１３）内の圧力（ｐ０）に相当するその初期位置にあり、押付け体（２４）により室（１３）内の圧力（ｐ１，ｐ２）を高めることができる時、前部かき取り器（１６）が印刻ローラ（１１）に線状にのみ接触することを特徴とする、請求項１に記載の装置。
【請求項３】
押付け体（２４）が気球（２２）により押付け片（２３）を介して押付け可能であることを特徴とする、請求項１に記載の装置。
【請求項４】
気球（２２）が圧縮空気導管（２１）により膨らませ可能であり、それにより押付け片（２３）へ向かって移動可能であることを特徴とする、請求項３に記載の装置。
【国際調査報告】
2013545603.tif 000007
2013545603.tif 000008
2013545603.tif 000009
2013545603.tif 000010